(57)【要約】【課題】  引き戸の中方立と戸板表面との隙間隠しと明かり漏れを防止し、戸板の反りにも対応可能で、隙間調整部材の構造自体が複雑でなく調整作業も簡単に行える。引き戸をリフォームする際やメンテナンス時に、古い隙間調整部材から新しいものに簡単に、しかも、施工現場で取り替えることが可能で、隙間調整部材が隠蔽されるので外観にも優れる。戸板を取り外さないで隙間調整部材の調整が可能な調整引戸を安価に提供することにある。【解決手段】  上枠、下枠、左右縦枠、中方立で引戸枠が形成され、左右縦枠の一方と中方立と上枠、下枠とで開口部が設けられ、引戸枠内を上枠、下枠に沿って左右に滑動自在な戸板が設けられ、中方立の戸板対向前端縁と戸板表面との隙間を埋める隙間調整部材が中方立の戸板対向前端縁から突出寸法自在に調整可能に設けるようにした。【選択図】        図１
2009191471.tif 000002
【特許請求の範囲】
【請求項１】
上枠、下枠、左右の縦枠及び該縦枠間に設けられた中方立で引き戸枠が形成され、左右の縦枠の一方と中方立と上枠、下枠とで開口部が設けられ、前記引き戸枠内を上枠、下枠に沿って左右方向に滑動自在な戸板が設けられ、前記中方立の戸板対向前端縁と戸板表面との間の隙間を埋める隙間調整部材が中方立の戸板対向前端縁に設けられ、該隙間調整部材が中方立の戸板対向前端縁から突出寸法自在に調整可能に設けられていることを特徴とする調整引き戸。
【請求項２】
前記左右いずれか一方の縦枠内面に縦枠の高さ方向に沿って戸板端部を収納する引き込み溝が形成され、前記上枠、下枠の少なくともいずれか片方の前記引き込み溝の入り口に戸板ストッパーが設けられ、戸板開時又は閉時に戸板端縁がストッパーに当接した際、戸板の他方の端縁が中方立の戸板対向前端縁に設けられた隙間調整部材を隠蔽し、一方、前記ストッパーを解除した際、戸板端縁が縦枠の引き込み溝に収納され、中方立の戸板対向前端縁に設けられた隙間調整部材が露出することを特徴とする請求項１に記載の調整引き戸。
【請求項３】
前記隙間調整部材が一方に開口部を設けた断面視略コの字型を有する縦長の調整枠と該調整枠の開口部側に設けられた軟質の弾性部材又は繊維状部材からなる隙間部材と、該隙間部材の背面に設けられた基体と、前記隙間調整部材の所定位置に設けられている調整ネジとからなり、前記中方立の戸板対向前端縁に形成された条溝内に前記隙間調整部材が設けられ、中方立の戸板対向前端縁からの隙間部材の突出寸法が前記調整ネジのネジ込み、ネジ戻し操作によって調節可能とされていることを特徴とする請求項１又は請求項２に記載の調整引き戸。
【発明の詳細な説明】
【技術分野】
【０００１】
本発明は住宅等の建築物内部の開口部に使用される引き戸に関する。
【背景技術】
【０００２】
従来、図６に示すように、住宅等建築物の開口部に使用される引き戸において、上枠１２、下枠１３、左右縦枠１４間に戸板１６が水平移動可能なようにして設けられ、前記左右縦枠１４間に中方立１５が設けられ、中方立１５と左右いずれかの縦枠１４との間に開口部Ｋが設けられた構造の引き戸１１において、前記中方立１５の木口面１５ａと戸板１６の表面との間には所定寸法の隙間Ｃが設けられ、戸板１６の開閉時、戸板１６が水平移動する際、中方立１５の木口面１５ａと戸板１６の表面とが接触することによる開閉障害を防止している。この隙間Ｃは戸板１６の開閉をスムーズに行うためには有効であるが、時として、明かり漏れの恐れがあり、このことが大きな問題点となっていた。
【０００３】
この明かり漏れを解消するため、隙間を塞ぐための部材１７を中方立１５の木口面１５ａの高さ方向に取り付け、中方立１５の木口面１５ａと戸板１６の表面との隙間Ｃをなるべく小さくし明かりが漏れるのを防止していた。
【０００４】
ところが、特に木製の戸板１６においては、取り付け使用する部屋の環境によっては、湿気を吸湿したり、また、放湿したりを繰り返すと、戸板１６自体の高さ方向、幅方向の反りが発生することが多々あり、せっかく取り付けた前記隙間Ｃを塞ぐ部材１７が有効に働かなくなるといった問題点があった。すなわち、戸板１６の高さ方向の略中央部が前記中方立１５の木口面１５ａと離間する方向に反りが発生すると、中方立１５の木口面１５ａと戸板１６の表面との間の隙間Ｃが大きくなり明かり漏れが防止できなくなる。また、逆に、戸板１６の高さ方向の略中央部が前記中方立１５の木口面１５ａに近づく方向に反りが発生すると、中方立１５の木口面１５ａと戸板１６の表面との間の隙間Ｃが小さくなり、隙間を塞ぐ部材１７が戸板表面に強く接触し、これが原因で戸板１６の開閉障害となっていた。
【０００５】
そこで、引き戸との隙間を塞ぐ部材を中方立の木口で引き戸対向面に出没を調整可能に取り付け、中方立の木口面と戸板の表面との間の隙間の寸法の大小にうまく対応する構造とした引き戸構造の記載がある。（例えば、特許文献１参照）。
【０００６】
【特許文献１】特開２００２−２５０１８０号公報（第１−５頁、第１−３図）
【発明の開示】
【発明が解決しようとする課題】
【０００７】
しかしながら、上記従来技術のなかで、特開２００２−２５０１８０号公報に記載されている隙間調整機構付き引き戸構造においては、略く字形状の屈曲部を備えた弾性プレートを方立に形成された溝内に設けた構造で、方立の側面からネジの操作で前記略く字形状の屈曲部を備えた弾性プレートの頂部が押圧され、それと連動して前記略く字形状の屈曲部を備えた弾性プレートの屈曲部が開脚又は閉脚し、溝内の深さ方向に伸縮し、該伸縮によって、隙間部材が方立の溝から出没する構造を有している。このように、構造自体が複雑で、あらかじめ方立製造時に工場生産ラインで前記略く字形状の屈曲部を備えた弾性プレート及び隙間封止部材等を方立の所定位置に組み込んで完成品として施工現場へ納入することになる。このように、構造自体が複雑であるために、コスト的にも高価なものに付くといった問題点があった。
【０００８】
また、隙間封止部材の出没調整のための操作が方立（中縦枠）の表面、それも引き戸の開口部側の表面から操作する構造であるため、開口部から人が出入りするたびに、調整のためのネジが前記方立表面に露出するので外観上見苦しいといった問題点もあった。それを解消するために化粧カバーを設けても、化粧カバーがあることで、かえって、目立ってしまうといった問題点があった。
【０００９】
また、引き戸を長期間使用後、前記隙間封止部材が引き戸表面と接触し摩滅し、新しいものと交換する必要が生じても、施工現場で簡単に取り替えることができないといったメンテナンス上の問題点もあった。
【００１０】
また、長期間使用後、戸板に大きな反りが生じた場合、隙間封止効果に限界があった。従って、大きな戸板の反りにも対応可能な隙間封止部材が望まれていた。
【００１１】
本発明の目的は、引き戸の中方立の戸板対向前端縁の木口面と戸板表面との隙間隠しと、隙間からの明かり漏れを防止し、戸板の反りによる隙間の寸法変化にも有効に対応可能で、長期間使用後に戸板に大きな反りが生じても隙間隠しと明かり漏れ防止に対して有効に対応可能で、また、隙間調整部材の構造自体が複雑でなく、引き戸をリフォームする際やメンテナンス時に、古い隙間調整部材から新しい隙間調整部材に簡単に、しかも、施工現場で取り替えることが可能で、隙間調整部材の取り付け後も、視覚的に全く目立たず、しかも、引き戸を取り外すことなく引き戸を取り付けた状態のままで隙間調整部材の中方立からの突出寸法を調整することが可能で、外観意匠性に優れ、隙間調整部材の出し入れ調整の作業性と安定性にとっても好適な調整引き戸を安価に提供することにある。
【課題を解決するための手段】
【００１２】
上記課題を解決するためになされた請求項１に記載の発明は、上枠、下枠、左右の縦枠及び該縦枠間に設けられた中方立で引き戸枠が形成され、左右の縦枠の一方と中方立と上枠、下枠とで開口部が設けられ、前記引き戸枠内を上枠、下枠に沿って左右方向に滑動自在な戸板が設けられ、前記中方立の戸板対向前端縁と戸板表面との間の隙間を埋める隙間調整部材が中方立の戸板対向前端縁に設けられ、該隙間調整部材が中方立の戸板対向前端縁から突出寸法自在に調整可能に設けられていることを特徴とする。
【００１３】
このような構成によれば、引き戸の中方立の戸板対向前端縁の木口面と戸板表面との隙間隠しと、隙間からの明かり漏れを防止し、戸板の反りによる隙間の寸法変化にも有効に対応可能で、長期間使用後に戸板に大きな反りが生じても隙間隠しと明かり漏れ防止に対して有効に対応可能である。
【００１４】
請求項２に記載の発明は、請求項１に記載の調整引き戸において、前記左右いずれか一方の縦枠内面に縦枠の高さ方向に沿って戸板端部を収納する引き込み溝が形成され、前記上枠、下枠の少なくともいずれか片方の前記引き込み溝の入り口に戸板ストッパーが設けられ、戸板開時又は閉時に戸板端縁がストッパーに当接した際、戸板の他方の端縁が中方立の戸板対向前端縁に設けられた隙間調整部材を隠蔽し、一方、前記ストッパーを解除した際、戸板端縁が縦枠の引き込み溝に収納され、中方立の戸板対向前端縁に設けられた隙間調整部材が露出することを特徴とする。
【００１５】
このような構成によれば、前記戸板ストッパーを解除した際、戸板の端縁が縦枠の引き込み溝に収納され、中方立の戸板対向前端縁に設けられた隙間調整部材が露出するので、戸板を取り外すことなく戸板を取り付けた状態のままで隙間調整部材の中方立の戸板対向前端縁からの突出寸法を調整することが可能となり、また、戸板ストッパーを解除するだけで隙間調整部材が露出するので、隙間調整部材の出し入れ調整の作業性と安定性にとっても好適である。また、戸板ストッパーをもとに戻せば、戸板の開時又は閉時に戸板の端縁がストッパーに当接し、隙間調整部材が視覚的に全く隠蔽されて目立たず、安価で外観意匠性に優れた調整引き戸が可能となる。
【００１６】
請求項３に記載の発明は、請求項１又は請求項２に記載の調整引き戸において、前記隙間調整部材が一方に開口部を設けた断面視略コの字型を有する縦長の調整枠と該調整枠の開口部側に設けられた軟質の弾性部材又は繊維状部材からなる隙間部材と、該隙間部材の背面に設けられた基体と、前記隙間調整部材の所定位置に設けられている調整ネジとからなり、前記中方立の戸板対向前端縁に形成された条溝内に前記隙間調整部材が設けられ、中方立の戸板対向前端縁からの隙間部材の突出寸法が前記調整ネジのネジ込み、ネジ戻し操作によって調節可能とされていることを特徴とする。
【００１７】
このような構成によれば、隙間調整部材の構造自体が複雑でなく、隙間部材の出し入れ調整の作業性と安定性にとっても好適で、しかも、引き戸をリフォームする際やメンテナンス時に、古い隙間調整部材から新しい隙間調整部材に簡単に施工現場で取り替えることが可能となる。
【発明の効果】
【００１８】
請求項１に記載の発明によれば、引き戸の中縦枠の戸板対向前端縁の木口面と戸板表面との隙間隠しと、隙間からの明かり漏れを防止し、戸板の反りによる隙間の寸法変化にも有効に対応可能で、長期間使用後に戸板に大きな反りが生じても隙間隠しと明かり漏れ防止に対して有効に対応可能である。
【００１９】
請求項２に記載の発明によれば、前記戸板ストッパーを解除した際、戸板の端縁が縦枠の引き込み溝に収納され、中方立の戸板対向前端縁に設けられた隙間調整部材が露出するので、戸板を取り外すことなく戸板を取り付けた状態のままで隙間調整部材の中方立の戸板対向前端縁からの突出寸法を調整することが可能となり、また、戸板ストッパーを解除するだけで隙間調整部材が露出するので、隙間調整部材の出し入れ調整の作業性と安定性にとっても好適である。また、戸板ストッパーをもとに戻せば、戸板の開時又は閉時に戸板の端縁がストッパーに当接し、隙間調整部材が視覚的に全く隠蔽されて目立たず、安価で外観意匠性に優れた調整引き戸が可能となる。
【００２０】
請求項３に記載の発明によれば、隙間調整部材の構造自体が複雑でなく、隙間部材の出し入れ調整の作業性と安定性にとっても好適で、しかも、引き戸をリフォームする際やメンテナンス時に、古い隙間調整部材から新しい隙間調整部材に簡単に施工現場で取り替えることが可能となる。
【発明を実施するための最良の形態】
【００２１】
本発明の詳細を図面に従って説明する。図１は本発明の調整引戸の水平断面図、図２は本発明の調整引戸の開状態における要部拡大水平断面図である。図３は本発明の調整引戸の隙間調整時における要部拡大水平断面図である。図４は本発明の調整引戸の隙間調整時における要部拡大水平断面図で、（イ）は戸板と中方立との隙間が大きく隙間調整部材の突出量が最大の状態を示し、（ロ）は戸板と中方立との隙間が小さく隙間調整部材の突出量が最小の状態を示す。図５は本発明の隙間調整部材の断面図である。図中、１は調整引戸、２は上枠、３は下枠、４は左右縦枠、４ａは縦枠（大）、４ｂは縦枠（小）、Ｇは引き込み溝、Ｐは戸板ストッパー、５は中方立、５ａは戸板対向前端縁、Ｊは条溝、６は戸板、７は隙間調整部材、Ｓは隙間部材、Ｂは基体、Ｎは調整ネジ、Ｆは調整枠、Ｔは突出寸法、Ｌは突出寸法の調整範囲、Ｄはドライバー、Ｃは隙間、ｅはクリアランス、Ｋは開口部、Ｗは壁面を示す。
【００２２】
図１、図２において、本願発明は戸板６が１枚の片引き戸に用いる引戸の隙間隠しについての発明である。隙間調整部材７を用いて、中方立５の戸板対向前端縁５ａと戸板６の表面との間に生じる隙間（Ｃ）を隠蔽しようとするものである。本発明の調整引戸１は上枠２、下枠３、左右の縦枠４及び該縦枠間に設けられた中方立５によって引戸枠が形成されている。左右の縦枠４の一方、すなわち、縦枠（大）４ａと中方立５と上枠２と下枠３とによって、前記引戸枠の左右間口方向の右側又は左側の片方に、人が出入りするための開口部Ｋが設けられている。一方、左右の縦枠４の他方、すなわち縦枠（小）４ｂと中方立５と上枠２と下枠３とによって、引戸開時において、戸板６を引き込むためのスペースが設けられている。
【００２３】
また、上枠２に上レール（図示せず）が組み込まれており、必要に応じて下枠３には下レール（図示せず）が組み込まれている。この上下枠の間で左右縦枠４の間を水平に移動する戸板６が設けられている。該戸板６によって前記開口部Ｋが開閉自在に構成されている。また、前記中方立５の戸板対向前端縁５ａに、戸板６の表面と戸板対向前端縁５ａの間に存在する隙間Ｃの大きさを調節するための隙間調整部材７が設けられている。
【００２４】
前記隙間Ｃの大きさは大きすぎても、また、小さすぎても支障が生じる。すなわち、隙間Ｃが大きすぎると、中方立５の戸板対向前端縁５ａと戸板６の表面の間から隣室の明かりが漏れるといった支障が生じる。また、隙間Ｃが小さすぎると、戸板６が高さ方向又は幅方向に少しでも反りが発生すると、戸板６の表面と中方立５の戸板対向前端縁５ａとの間で相互に接触し、戸板６の開閉操作に支障が生じる。
【００２５】
この反りは戸板６の高さ方向の反りと幅方向の反りとがあり、しかも、これらの反りは一様でなく高さ方向や幅方向に、少しずつ異なっていることが多く、また、引戸を施工した後、時間の経過と共に反りの大きさが変化する。また、反りの方向も２種類有り、中方立５の戸板対向前端縁５ａから見て戸板６の高さ方向又は幅方向の略中程が凹む方向の反りと、これとは逆に、戸板６の略中程が出っ張る方向の反りの両方向の反りがある。
【００２６】
従って、中方立５の戸板対向前端縁５ａと戸板６の表面の間に生じる前記隙間Ｃを戸板開閉操作に支障が生じない程度において、ある程度大きめに設定し、且つ、前記戸板６の反りの変化にも有効に対応し、隙間Ｃからの明かり漏れを確実に防止し、且つ戸板６表面と中方立５の戸板対向前端縁５ａとが接触障害を起こすことを確実に防止するために、隙間調整部材７が戸板対向前端縁５ａに取り付けられている。詳しくは、軟質の材料からなる隙間部材Ｓが、その突出寸法Ｔの調整範囲Ｌが自在にできるようにして設けられている。
【００２７】
すなわち、前記隙間調整部材７は、戸板６の表面と摺れあっても戸板６の表面化粧材を損傷しない程度に柔らかい材質のものが好適である。このように、戸板６との隙間Ｃを埋める箇所には軟質の隙間部材Ｓを備えた隙間調整部材７が、戸板対向前端縁５ａに取り付けられている。このことにより、戸板６に高さ方向や幅方向の反りが発生しても、中方立５の戸板対向前端縁５ａと戸板６の表面との隙間Ｃを有効に埋めることが可能で、開閉に支障が生じることなく、しかも、明かり漏れが生じない。
【００２８】
戸板６の表面と中方立５の戸板対向前端縁５ａとの間の隙間Ｃは前記軟質部材からなる隙間部材Ｓによってほとんど埋められている。従って、隙間部材Ｓの先端と戸板表面とのクリアランスｅは限りなくゼロに近いか、又は、隙間部材Ｓの先端が戸板６の表面にわずかに触れる程度である。隙間部材Ｓが軟質の材料で構成されているので戸板６の表面に傷を付ける恐れはない。隙間部材Ｓを構成する材料は軟質で且つ、耐摩耗性に優れたものが好適である。耐摩耗性に優れた材料であるので、長期間使用しても摩滅の恐れはほとんどない。
【００２９】
前記戸板６は、例えば合板又は中比重繊維板等の木質材からなる芯材を組み合わせて作製された芯組材（図示せず）の表面裏面に表面化粧材を貼着して作製されたフラッシュ構造の戸板６が好適である。しかし、前記芯組材を用いたフラッシュ構造でなく、密実構造の戸板６であってもよい。また、前記上枠２、下枠３、左右縦枠４、中方立５等の各部材パネルの構造も戸板６と同様のものが好適である。表面化粧材としては、天然銘木からなる突板や単板、木目柄の印刷が施された塩ビ樹脂シートやオレフィン樹脂シート、木目柄の印刷が施された化粧紙等が好適なものとして例示できる。しかし、これらの材料に限られるものではない。
【００３０】
前記戸板６の水平方向の移動手段は、例えば、上枠２に上レール（図示せず）を取り付け、ガイドランナー（図示せず）を戸板６の上木口に装着し、上吊り方式で走行させ、戸板６の下部は下枠３に必要に応じて下レール（図示せず）を取り付け、戸車（図示せず）を戸板６の下木口に装着する構造を好適なものの一例として例示できる。また、戸板６の上部は上吊り方式以外の構造であっても勿論よいものとする。例えば、上枠２の下端面に鴨居溝を設け、戸板６の上端部に切欠段部を設け該切欠段部によって突出部を形成し該突出部を前記鴨居の溝に差し込む構造であってもよい。また、戸板６の下部は前記戸車方式以外の構造であっても、勿論、よいものとする。例えば、戸板６の下端部木口面に条溝を形成し、下枠３にガイドピン（図示せず）を設け、該ガイドピンが前記条溝内に嵌挿され、ガイドピンを案内として、戸板６が左右方向へ走行する構造であってもよい。勿論、これら以外の戸板走行方式であってもよいものとする。
【００３１】
図２、図３において、さらに詳しく述べる。本例は、縦枠（小）４ｂに引き込み溝Ｇを設けた例である。縦枠（大）に設けてもよいものとする。本発明の調整引戸１は、戸板６の端部、すなわち、戸板６を開閉操作する時、戸板６が左右いずれかの方向に滑動する際に戸板６が進行する方向の端部を収納するための引き込み溝Ｇが、左右いずれか一方の縦枠４の内面、すなわち、戸板６が進行する方向にある縦枠４の内面に、縦枠４の高さ方向に沿って形成されている。
【００３２】
さらに、前記上枠２、下枠３の少なくともいずれか片方の前記引き込み溝Ｇの入り口に戸板ストッパーＰが設けられている。戸板６の開時又は閉時に戸板６の端縁がストッパーに当接した際、戸板６の他方の端縁が中方立５の戸板対向前端縁５ａに設けられた隙間調整部材７を隠蔽し、一方、前記戸板ストッパーＰを解除した際、戸板６の開時又は閉時に戸板６の端縁が縦枠４の引き込み溝Ｇに収納され、中方立５の戸板対向前端縁５ａに設けられた隙間調整部材７が露出する構成とされている。
【００３３】
このようにして、前記戸板ストッパーＰを解除した際、戸板６の端縁が縦枠４の引き込み溝Ｇに収納され、中方立５の戸板対向前端縁５ａに設けられた隙間調整部材７が露出するので、戸板６を取り外すことなく戸板６を取り付けた状態のままで隙間調整部材７の中方立５の戸板対向前端縁５ａからの突出寸法Ｔを調整することが可能となる。このように、戸板ストッパーＰを解除するだけで隙間調整部材７が露出するので、隙間調整部材７の出し入れ調整の作業性と安定性に優れる。また、戸板ストッパーＰをもとに戻せば、戸板６の開時又は閉時に戸板６の端縁がストッパーに当接し、隙間調整部材７が視覚的に全く隠蔽され、目立たず、外観意匠性に優れる。しかも安価な構造で可能となる。
【００３４】
前記戸板ストッパーＰは上枠２、下枠３の少なくともいずれか一方に設けられている。戸板ストッパーＰの取り付けられている左右方向における位置は、前記引き込み溝Ｇの入り口である。詳細は、戸板６の端縁が戸板ストッパーＰに当接した時、戸板６の他方の端縁は、中方立５の戸板対向前端縁５ａを完全に隠蔽することが好ましい。調整部材７が隠蔽されるので外観上好ましい。さらに、その時、戸板ストッパーＰ側の戸板端縁は引き込み溝Ｇにほんの少しだけ（約２〜３ｍｍ程度）入り込んでいる方が好ましい。その理由は、前記引き込み溝Ｇを縦枠（小）４ｂに設けた場合は戸板ストッパーＰに戸板６の端縁が当接した際に縦枠（小）４ｂと戸板６の端縁との間に若干隙間が生じても戸板６の向こう側が壁面Ｗで覆われているので全く問題とならない。しかし、逆に、前記引き込み溝Ｇを縦枠（大）４ａに設けた場合は戸板ストッパーＰに戸板６の端縁が当接した際に縦枠（大）４ａと戸板６の端縁との間に若干でも隙間が生じると、戸板６の向こう側が開口部Ｋであるゆえ、隣室の明かりが漏れるという問題が生じる。従って、戸板ストッパーＰ側の戸板端縁は引き込み溝Ｇにほんの少しだけ（約２〜３ｍｍ程度）入り込んでいる方が好ましい。
【００３５】
また、戸板ストッパーＰを解除し、戸板６の端縁が引き込み溝Ｇの溝底に当接した時、戸板６の他方の端縁は、中方立５の戸板対向前端縁５ａに設けられた調整部材７が外部に露出するような位置関係であることが大切である。少なくとも、隙間調整部材７の隙間部材Ｓを完全に外部に露出させる必要がある。このようにすることで、戸板６をわざわざ取り外さないで、戸板ストッパーＰを解除するだけの簡単な操作で、隙間調整部材７を用いて隙間Ｃの調整が極めて簡単に可能となる。
【００３６】
前記戸板ストッパーＰの一実施例を述べる。上枠２、下枠３の少なくともいずれか一方の表面、すなわち、上枠２の場合は下面、下枠３の場合は上面に丸孔（図示せず）を形成する。丸孔の形成位置は前記したとおりである。戸板ストッパーＰとして、円筒体からなる金具を用意し、その直径を丸孔の直径より若干小さめにし、手で楽に抜き差しできる程度の寸法とする。引戸の通常の使用時は円筒体を丸孔に差し込んだ状態で使用し、円筒体の頭部を所定寸法だけ枠表面から突出させておく。隙間調整時に円筒体を抜き取る。
【００３７】
また、他の実施例として、戸板ストッパーＰをプッシュ式のものとする。上枠２及び又は下枠３表面に、プッシュ式のピンを埋設しておく。該プッシュ式ピンは手で押し込むと内蔵されたバネが収縮し枠表面と面一状態でバネが係止部に引っ掛かり、係止され面一状態が保持可能となり、さらにそれを手でプッシュすると前記係止部からバネが外れ、バネの復元力によってピンの頭部が枠表面から所定寸法だけ突出する。引戸の通常の使用時はプッシュ式ピンの頭部を押し込まない状態で使用し、ピンの頭部を所定寸法だけ枠表面から突出させておく。隙間調整時にピンをプッシュし枠表面と面一状態とする。
【００３８】
前記引き込み溝Ｇは左右縦枠４の少なくとも何れか片方に設ければよい。両方に設けてもよいが、片方で十分である。すなわち、縦枠（大）４ａ又は縦枠（小）４ｂのどちらかに設ければよい。そのうち、縦枠（小）４ｂに設けた方が好ましい。その理由は、中方立５と縦枠（小）４ｂとの間は壁面Ｗが設けられており、このため、戸板開時、戸板６の端縁が前記戸板ストッパーＰに当接した際、万が一、縦枠（小）４ｂと戸板端縁との間に若干の隙間が生じても戸板６の向こう側が壁面Ｗであるので、隙間がほとんど問題とならない。さらに、戸板閉時、縦枠（小）４ｂに引き込み溝Ｇが露出するが、人が出入りする開口部Ｋとは隔絶された反対側の箇所にある縦枠（小）４ｂに形成された引き込み溝Ｇであるので、外観上ほとんど気にならない。
【００３９】
引き込み溝Ｇの加工寸法は、溝幅は戸板６の厚み寸法に若干余裕（約２〜４ｍｍ程度）を持たせた大きめとし、溝深さは、中方立５の厚みの１／２に隙間調整部材７の隙間部材Ｓの幅寸法の１／２を加えた寸法よりも若干（約１〜２ｍｍ程度）大きめの深さとする。例えば、縦枠４及び中方立５の厚み寸法を２４ｍｍとし、戸板６の厚み寸法を３０ｍｍとし、隙間調整部材７の幅を９．０ｍｍとし、隙間部材Ｓの幅を６．０ｍｍとすると、引き込み溝Ｇの加工寸法は、溝幅で約３２〜３４ｍｍ、溝深さで約１６ｍｍ〜１７ｍｍ程度、溝長さ（高さ方向）は縦枠４の長さ方向（高さ方向）全長に亘って設けるか、又は、少なくとも、上枠２の下面と下枠３の上面の間に亘って設ける必要がある。
【００４０】
また、前記隙間調整部材７は、中方立５の戸板対向前端縁５ａに形成される条溝Ｊ内に埋め込まれている。そして、隙間部材Ｓが適度な突出寸法Ｔだけ突出して設けられている。
【００４１】
図４において、隙間調整部材７を用いた調整方法の詳細を述べる。図４の（イ）は戸板６表面と中方立前端縁５ａとの隙間Ｃが大きく、隙間調整部材７の突出量Ｔが最大の状態を示し、（ロ）は戸板６表面と中方立前端縁５ａとの隙間Ｃが小さく、隙間調整部材７の突出量Ｔが最小の状態を示す。中方立５の戸板対向前端縁５ａに設けられた隙間調整部材７を用いて、中方立５の戸板対向前端縁５ａと戸板６の表面との間の隙間Ｃを調整する方法について述べる。
【００４２】
戸板ストッパーＰを解除し、引き込み溝Ｇ内に戸板６の端縁を引き込んで嵌挿させる。このようにして、戸板６の引き込み溝Ｇ側の端縁を引き込み溝Ｇの溝底に略当接させ、他方の端縁が隠蔽していた隙間調整部材７を露出させる。少なくとも隙間部材Ｓは完全に露出させる必要がある。
【００４３】
隙間調整部材７を露出させ、ドライバーＤを用いて隙間調整部材７にある調整ネジＮを右回り又は左廻りに回転させることで、隙間部材Ｓを出し入れさせて、隙間部材Ｓが中方立５の戸板対向前端縁５ａから突出する寸法Ｔを調整し、戸板表面までのクリアランスｅを調整する。調整完了後戸板６の端縁を引き込み溝Ｇから出し、戸板ストッパーＰをもとへ戻す。
【００４４】
隙間調整部材７の調整寸法は一例として、次のような寸法が望ましい。前記隙間Ｃは通常、約２〜１０ｍｍ程度であり、隙間調整部材７を用いての隙間部材Ｓの突出寸法Ｔは約０．５〜８．５ｍｍ程度、突出寸法の調整範囲Ｌは約８ｍｍ程度あるのが望ましい。図の（イ）に示すように戸板６との隙間Ｃが最大（約１０ｍｍ）の場合は、隙間部材Ｓを最大に突出させて（突出寸法を約８．５ｍｍとする）隙間Ｃを塞ぎ、クリアランスｅを１．５ｍｍ程度とする。また、図の（ロ）に示すように戸板６との隙間Ｃが最小（約２ｍｍ）の場合は、隙間部材Ｓを最大限引っ込めて（突出寸法を約０．５ｍｍとする）、クリアランスｅを１．５ｍｍ程度とする。
【００４５】
このように、クリアランスｅは限りなくゼロに近いほうがよい。しかし、隙間部材Ｓの先端が戸板６の表面と接触すると、隙間部材Ｓの摩滅が問題となるので、約１．５ｍｍ程度のクリアランスｅを設けるのが望ましい。しかしながら、隙間部材Ｓの材質を耐摩耗性材料とすれば、クリアランスｅをゼロとすることが可能となる。しかも、軟質材料であれば、戸板６の表面化粧材を傷つける恐れもない。
【００４６】
図５において、本発明の隙間調整部材７の詳細を述べる。前記隙間調整部材７は、一方に開口部を設けた断面視略コの字型を有する調整枠Ｆの内部に出し入れ可能に構成された隙間部材Ｓが内蔵されている。前記調整枠Ｆの開口部側に、軟質の弾性部材又は繊維状部材からなる隙間部材Ｓが出し入れ可能に内蔵され、設けられている。該隙間部材Ｓの背面には一例として、塩ビ樹脂、オレフィン樹脂、アクリル樹脂、ポリエステル樹脂、ポリエチレン樹脂等の硬質又は半硬質の合成樹脂成型体からなる基体Ｂが設けられている。もちろんこれら以外の合成樹脂成型体であってもよいし、また、合成樹脂成型体以外の材質であってもよいものとする。例えば、アルミ、真鍮、ステンレス等の金属製であっても、勿論よいものとする。
【００４７】
また、前記調整枠Ｆは見かけ上、細長い形状をした部材である。例えば、押し出し成形等で製造される。形状は上記したように、一側面の長手方向のほぼ全長が開口し、断面視略コの字型をした縦に細長い部材である。前記調整枠Ｆの材質は好適な一例としてアルミ、真鍮、ステンレス等の金属製のものを挙げることができる。もちろんこれら以外で硬質且つ耐久性のある材質のものであってもよいものとする。例えば、塩ビ樹脂、オレフィン樹脂、アクリル樹脂、ポリエステル樹脂、ポリエチレン樹脂等の硬質の合成樹脂成型体であっても、勿論、よいものとする。
【００４８】
さらに詳しくは、前記隙間調整部材７の所定位置に調整ネジＮが設けられており、また、前記調整枠Ｆは本例では縦に細長く断面視略コの字型形状を有する部材である。該調整枠Ｆの一方が開口し、その略中央に前記基体Ｂが縦方向に設けられている。該基体Ｂの先端に連接して軟質の隙間部材Ｓが設けられている。そして、該基体Ｂと隙間部材Ｓの略中央を貫くように、隙間調整部材７の長さ方向（中方立５の高さ方向）に、所定の間隔を設けて、複数個の調整ネジＮが設けられている。
【００４９】
また、前記中方立５の戸板対向前端縁５ａに、中方立５の高さ方向に沿って、条溝Ｊが形成されており、この条溝Ｊ内に前記隙間調整部材７の調整枠Ｆが埋設されている。調整枠Ｆの外側面は、断面Ｓ図５に示すような鋸歯状の抜け止めが施されている。このため脱落防止にとって好適である。
【００５０】
中方立５の戸板対向前端縁５ａからの隙間部材Ｓの突出寸法Ｔが前記調整ネジＮのネジ込み、ネジ戻し操作によって調節可能とされている。この突出寸法Ｔの最大（本例では約８．５ｍｍ）と最小（本例では約０．５ｍｍ）の差、すなわち、突出寸法の調整範囲Ｌは本例では約８ｍｍである。
【００５１】
前記調整ネジＮと基体Ｂとは相互にネジで、螺合している。そして基体Ｂと隙間部材Ｓとは係止されている。このため、ドライバーＤを用いて、調整ネジＮを右回し又は左回ししてねじ込み又はネジ戻しを行うことによって、基体Ｂが調整枠Ｆの前面の開口部から突出したり引っ込んだりする。これにつれて、基体Ｂ先端に係止されている隙間部材Ｓが突出したり、又、引っ込んだりする構造である。
【００５２】
また、前記条溝Ｊ内に埋設されている調整枠Ｆ部分にマイナスドライバーの先を差し込んで、比較的簡単に調整枠Ｆ部分ごと、隙間調整部材７を取り外すことができるように配慮されている。すなわち、長期間使用後、隙間部材Ｓが摩滅した場合、施工現場で職人が簡単に隙間調整部材７を新品と交換できる程度の調整枠Ｆの鋸歯形状である。
【００５３】
このように、隙間調整部材７の構造自体が複雑でなく、隙間部材Ｓの出し入れ調整の作業性と安定性にとっても好適である。しかも、引き戸をリフォームする際やメンテナンス時に、古い隙間調整部材７から新しい隙間調整部材７に簡単に施工現場で取り替えることが可能となる。
【図面の簡単な説明】
【００５４】
【図１】本発明の調整引戸の水平断面図。
【図２】本発明の調整引戸の開状態における要部拡大水平断面図。
【図３】本発明の調整引戸の隙間調整時における要部拡大水平断面図。
【図４】本発明の調整引戸の隙間調整時における要部拡大水平断面図で、（イ）は隙間調整部材の突出量が最大の状態を示す。（ロ）は隙間調整部材の突出量が最小の状態を示す。
【図５】本発明の隙間調整部材の断面図。
【図６】従来の引戸を示す水平断面図。
【符号の説明】
【００５５】
１      調整引戸
２      上枠
３      下枠
４      左右縦枠
４ａ    縦枠（大）
４ｂ    縦枠（小）
Ｇ      引き込み溝
Ｐ      戸板ストッパー
５      中方立
５ａ    戸板対向前端縁
Ｊ      条溝
６      戸板
７      隙間調整部材
Ｓ      隙間部材
Ｂ      基体
Ｎ      調整ネジ
Ｆ      調整枠
Ｔ      突出寸法
Ｌ      突出寸法の調整範囲
Ｄ      ドライバー
Ｃ      隙間
ｅ      クリアランス
Ｋ      開口部
Ｗ      壁面
１１    引き戸
１２    上枠
１３    下枠
１４    左右縦枠
１５    中方立
１５ａ  中方立の木口面
１６    戸板
１７    隙間を塞ぐ部材
【図１】
2009191471.tif 000003
【図２】
2009191471.tif 000004
【図３】
2009191471.tif 000005
【図４】
2009191471.tif 000006
【図５】
2009191471.tif 000007
【図６】
2009191471.tif 000008